(57)【要約】【課題】枚葉紙印刷機の給紙装置に設けられた補助パイルと主パイルとを一つにまとめるための新規な装置を実現する。【解決手段】補助パイル支持装置（１５）はガイド部材（１９）を有し、ガイド部材には、支持部材（２０）がスライド可能にガイドされており、支持部材（２０）は円筒状の棒体として形成されるとともに、チェーン部材（２１）を介して連結されており、それによって、補助パイル（１１）と主パイル（１２）とを一つにまとめる際に、チェーン部材（２１）を介して連結された支持部材（２０）は、一方で、水平方向に、補助パイル（１１）の下側の領域から取り出し可能であり、その後、補助パイル（１１）もしくは主パイル（１２）の側方近傍に、巻き付け可能または垂直方向に導出可能である。【選択図】図１
2007297214.tif 000002
【特許請求の範囲】
【請求項１】
枚葉紙印刷機の給紙装置に設けられた補助パイルと主パイルとを一つにまとめるための装置であって、
パレットに載積された主パイルを上昇させるための主パイルリフト装置と、
補助パイルを支持するための補助パイル支持装置と、
前記補助パイル支持装置を上昇させるとともに、前記補助パイル支持装置上に設置された補助パイルを上昇させるための補助パイルリフト装置と、を有し、
補助パイルと主パイルとを一つにまとめるために、まず、前記主パイルリフト装置を介して、前記主パイルの上側が、前記補助パイルの下側に進入する前記補助パイル支持装置に向かって移動可能であり、続いて、前記補助パイル支持装置は、前記補助パイルを、前記主パイルの前記上側に降下させながら、前記補助パイルの前記下側の領域から取り出し可能である装置において、
前記補助パイル支持装置（１５）はガイド部材（１９）を有し、前記ガイド部材には、支持部材（２０）がスライド可能にガイドされており、前記支持部材（２０）は円筒状の棒体として形成されるとともに、チェーン部材（２１）を介して連結されており、それによって、前記補助パイル（１１）と前記主パイル（１２）とを一つにまとめる際に、前記チェーン部材（２１）を介して連結された前記支持部材（２０）は、一方で、水平方向に、前記補助パイル（１１）の前記下側の領域から取り出し可能であり、その後、前記補助パイル（１１）もしくは前記主パイル（１２）の側方近傍に、巻き付け可能または鉛直方向に導出可能であることを特徴とする、装置。
【請求項２】
前記補助パイル支持装置（１５）の前記ガイド部材（１９）は、チェーンガイドレールとして形成されており、前記チェーンガイドレールは、前記補助パイル（１１）を囲むように設けられた前記補助パイル支持装置（１５）の支持フレーム（１８）に収容されており、前記補助パイル支持装置（１５）の前記支持フレーム（１８）に、前記補助パイルリフト装置（１６）のリフト部材（１７）が係合していることを特徴とする、請求項１に記載の装置。
【請求項３】
補助パイル（１１）をパレット（１４）から持ち上げるために、前記補助パイル支持装置（１５）の前記支持部材（２０）は、前記パレット（１４）と、前記補助パイル（１１）の下側と、の間に導入可能であることを特徴とする、請求項１または２に記載の装置。
【請求項４】
前記補助パイル支持装置（１５）の前記支持部材（２０）は、前記チェーン部材（２１）を介して縄梯子状の支持部材チェーンを形成するように連結されており、前記支持部材チェーンは、一方の側から、パレット（１４）と、前記パレット上に設けられた補助パイル（１１）の下側と、の間に導入可能であることを特徴とする、請求項１から３のいずれか１項に記載の装置。
【請求項５】
前記補助パイル支持装置（１５）の前記支持部材（２０）は、前記チェーン部材（２１）を介して二つの縄梯子状の支持部材チェーンを形成するように連結されており、前記支持部材チェーンは、互いに対向する二つの側から、パレット（１４）と、前記パレット上に設けられた補助パイル（１１）の下側と、の間に進入可能であることを特徴とする、請求項１から３のいずれか１項に記載の装置。
【請求項６】
前記一つの、あるいは個々の縄梯子状の支持部材チェーンの前方にある端部であって、当該端部によって、前記縄梯子状の支持部材チェーンが、最初に、前記パレット（１４）と、前記パレットに載置された前記補助パイル（１１）の前記下側と、の間に導入可能である端部に、楔形部材（２５）が配設されていることを特徴とする、請求項４または５に記載の装置。
【請求項７】
前記個々の楔形部材（２５）は、櫛状に形成されていることを特徴とする、請求項６に記載の装置。
【請求項８】
前記個々の楔形部材（２５）の突条部（２６）は、パレット（１４）の溝部（２９）に導入可能であり、前記パレット（１４）の突条部（２８）は、前記個々の楔形部材（２５）の溝部（２７）に導入可能であることを特徴とする、請求項６または７に記載の装置。
【請求項９】
前記個々の楔形部材（２５）は、先端部が開閉可能であることを特徴とする、請求項６から８のいずれか１項に記載の装置。
【発明の詳細な説明】
【技術分野】
【０００１】
本発明は、請求項１のおいて書き部分に記載の、枚葉紙印刷機の給紙装置に設けられた補助パイルと主パイルとを一つにまとめるための装置に関する。
【背景技術】
【０００２】
特許文献１から、請求項１のおいて書き部分に記載の特徴を備えた装置であって、枚葉紙印刷機の給紙装置に設けられた主パイルと補助パイルとを一つにまとめるための装置が知られている。特許文献１に開示された装置は、つり上げ装置として形成され、パレット上に積載された主パイルを上昇させるための主パイルリフト装置を有している。特許文献１に開示された装置は、更に、補助パイルを支持するための補助パイル支持装置を有しており、補助パイル支持装置、及び当該補助パイル支持装置に設けられた補助パイルを、補助パイルつり上げ装置として形成された補助パイルリフト装置を用いて上昇させることができる。補助パイルと主パイルとを一つにまとめるために、主パイルは、主パイルリフト装置を介して、当該主パイルの上側が、補助パイルの下側に進入する補助パイル支持装置に向かって移動可能であり、続いて、補助パイル支持装置は、補助パイルを、主パイルの上側に降下させながら、補助パイルの下側の領域から取り出し可能となっている。
【０００３】
特許文献１によれば、パイル用の格子架として実現されている補助パイル支持装置は、このために、水平方向において並進的に補助パイルの下側の領域から引き出される。そのため必然的に、パイル用の格子架もしくは補助パイル支持装置は、引き出された状態では、側面において、枚葉紙印刷機の給紙装置に向かって突出することになる。
【０００４】
このため、給紙装置の領域において必要とされる枚葉紙印刷機の据え付け面積が増大する。この点は不利である。従来技術から知られている補助パイルと主パイルとを一つにまとめるための装置の更なる不利点は、パイル用の格子架が、補助パイルの最も下にある印刷枚葉紙と、主パイルの最も上にある印刷枚葉紙と、の両方に当接しながら引き出されるために、これらの印刷枚葉紙に望まないマーキングが形成される可能性がある、ということである。
【特許文献１】独国特許第４４２１４８７号明細書
【発明の開示】
【発明が解決しようとする課題】
【０００５】
上記の点に鑑み、本発明の課題は、枚葉紙印刷機の給紙装置に設けられた補助パイルと主パイルとを一つにまとめるための新規な装置を実現することである。
【課題を解決するための手段】
【０００６】
この課題は、請求項１に記載の装置によって解決される。本発明によれば、補助パイル支持装置はガイド部材を有し、これらのガイド部材において、支持部材がスライド可能にガイドされ、このとき、支持部材は円筒状の棒体として形成され、チェーン部材を介して連結されており、それによって、補助パイルと主パイルとを一つにまとめる際に、チェーン部材を介して連結された支持部材は、一方で、水平方向に補助パイルの下側の領域から取り出し可能であり、その後、補助パイルもしくは主パイルの側方近傍に、巻き付け可能または鉛直方向に導出可能となっている。
【０００７】
本発明は、枚葉紙印刷機の給紙装置に設けられた補助パイルと主パイルとを一つにまとめるための装置であって、給紙装置の領域において必要とされる、枚葉紙印刷機の据え付け面積が増大しない装置を提案する。本発明に係る装置の更なる有利点は、円筒状の棒体として形成された補助パイル支持装置の支持部材が、補助パイルの最も下にある印刷枚葉紙と、場合によっては、主パイルの最も上にある印刷枚葉紙とに、当接しながら転がる際に、従来技術から知られている印刷枚葉紙全体を通過しながら引き出されるパイル用の格子架とは異なり、印刷枚葉紙を損傷しない、ということである。
【０００８】
本発明の更に別の好適な形成によれば、補助パイル支持装置の支持部材は、チェーン部材を介して、少なくとも一つの縄梯子状の支持部材チェーンを形成しながら連結され、このとき、これらの、または個々の縄梯子状の支持部材チェーンは、それぞれ一方の側から、パレットと、当該パレットに載置された補助パイルの下側と、の間に導入可能であり、前記一つの、あるいは個々の縄梯子状の支持部材チェーンの前方にある端部であって、当該端部によって、前記縄梯子状の支持部材チェーンが、最初に、パレットと、当該パレットに載置された補助パイルの下側と、の間に導入可能である端部には、楔形部材が配設されている。
【０００９】
本発明の更なる有利な形成は、従属請求項と、以下の詳細な説明に記載されている。本発明の実施の形態を図面に基づいてより詳しく説明するが、本発明はこれらの実施の形態に限定されるものではない。
【発明を実施するための最良の形態】
【００１０】
以下に本発明を、図１から図９に即してより詳細に説明する。
【００１１】
図１から図４は、枚葉紙印刷機の給紙装置１３に設けられた、補助パイル１１と主パイル１２とを一つにまとめるための装置１０の、第１の実施の形態を示している。図１によれば、主パイル１２はパレット１４上に設置されており、パレット１４は、当該パレット上に設置された主パイルとともに、図に示されていない主パイルリフト装置によって持ち上げることができる。
【００１２】
装置１０は、補助パイル支持装置１５及び補助パイルリフト装置１６を備えている。図１において、補助パイル１１は補助パイル支持装置１５上に設置されており、補助パイル支持装置１５は、当該補助パイル支持装置上に設置された補助パイル１１とともに、図に示されていない補助パイルリフト装置１６を介して上昇させることができる。補助パイルリフト装置１６は、チェーン状のリフト部材１７によって形成され、これらのリフト部材は支持フレーム１８に係合している。
【００１３】
補助パイル支持装置１５は、補助パイル支持装置１５の支持部材２０のためのガイド部材１９を有している。ガイド部材１９は、支持フレーム１８の対向するバーに固定されているか、もしくは、支持フレーム１８の対向するバーによって直接的に形成されている。ガイド部材１９はチェーンガイドレールとして形成されている。
【００１４】
支持部材２０は円筒状の棒体として形成され、これらの円筒状の棒体は、チェーン部材２１を介して（図２から図４を参照せよ）互いに連結されている。図１から図４に示す実施の形態では、円筒状の棒体として形成された支持部材２０は、チェーン部材２１を介して、単一の縄梯子状の支持部材チェーンを成すように互いに連結されており、このような単一の縄梯子状の支持部材チェーンは、図２及び図３によれば、一方の側から矢印２２の方向に、補助パイル１１をパレットから持ち上げるために、補助パイル１１の下側とパレット１４との間に導入可能となっている。このとき、補助パイル１１は上昇させられるが、上昇させられるのは、縄梯子状の支持部材チェーンの厚みもしくは高さの分である。
【００１５】
このような縄梯子状の支持部材チェーンが、補助パイル１１の下側とパレット１４との間に完全に挿入されてから、パレット１４を下降させることができる。こうして補助パイル１１は、図１に示す補助パイル支持装置１５によって全面的に支持される。その後、給紙装置１３の領域において、新たな主パイル１２が供給され、続いて、補助パイル１１が主パイル１２の上側に降下され、それによって、補助パイル１１と主パイル１２とは一つにまとめられる。
【００１６】
補助パイル１１と主パイル１２とを一つにまとめるために、主パイル１２は、図に示されていない主パイルリフト装置を介して、当該主パイルの上側が補助パイル支持装置１５に向かって移動可能であり、補助パイル支持装置は、補助パイル１１を、当該補助パイルの下側において検知する。このとき主パイル１２の上側は、好適に補助パイル支持装置１５に当接される。
【００１７】
支持フレーム１８にガイドされ、円筒状の棒体として形成された支持部材２０は、この後、図２及び図３において矢印２２で表された方向と逆の向きであって、水平方向に、補助パイル１１の下側の領域から取り出すことができる。このとき円筒状の棒体２０は、補助パイル１１の最も下にある枚葉紙に当接するとともに、主パイル１２の最も上にある枚葉紙に当接しながら転がる。チェーン部材２１を介して、縄梯子状の支持部材チェーンを成すように連結された支持部材２０は、当該支持部材が、補助パイル１１の下側の領域から取り出されるとすぐに、図２に示す実施の形態では、鉛直方向に導出される。すなわち、補助パイル支持装置１５の、垂直下方に延在する部分２３に導入される。この部分２３は、図１に示す実施の形態では、給紙装置の給紙テーブル２４に対向する側で、主パイル１２の側方近傍に延在している。
【００１８】
図１から図４に示す実施の形態では、チェーン部材２１を介して、縄梯子状に連結された支持部材２０からなる縄梯子状の支持部材チェーンの前方端部によって、前記縄梯子状の支持部材チェーンが、最初にパレット１４と当該パレットに載置された補助パイル１１との間に挿入可能である。この端部には、楔形部材２５が配設されている。楔形部材２５によって、縄梯子状の支持部材チェーンを、補助パイル１１の下側とパレット１４との間に、補助パイル１１の下方にある印刷枚葉紙を破損することなく容易に挿入することが可能となる。
【００１９】
楔形部材２５は、図４に示すように櫛状に形成され、隣り合うように設けられた突条部２６を有し、これらの突条部の間に溝部２７が形成されている。楔形部材２５の突条部２６及び溝部２７は、パレット１４の突条部２８及び溝部２９と協働し、それによって、楔形部材２５を、補助パイル１１の下側とパレット１４との間に挿入する際（図２及び図３を参照せよ）、楔形部材２５の突条部２６が、パレット１４の溝部２９に係合し、それに対して、パレット１４の突条部２８は、楔形部材２５の溝部２７に係合する。
【００２０】
このとき、図４に示すように、パレット１４の溝部２９に転動体３０が取り付けられていてもよい。この転動体は、楔形部材２５の、パレット１４に対する相対的な移動を容易にするものである。縄梯子状の支持部材チェーンの、円筒状の棒体として形成された支持部材２０は、当該支持部材を、補助パイル１１の下側とパレット１４との間に挿入する際、パレット１４の突条部２８の上を回転しながら進む。
【００２１】
図４から明らかなように、楔形部材２５の突条部２６には、穿孔３１が設けられており、これらの穿孔を介して、楔型部材２５を、補助パイル１１の下側とパレット１４との間に挿入することを容易にするために、空気をガイドすることができる。こうすることによって、補助パイル１１の最も下に設けられている枚葉紙と楔形部材２５との間に、エアクッションを形成することができ、このエアクッションによって、楔形部材２５を、最小限の力で挿入することが可能となる。
【００２２】
図５は、枚葉紙印刷機の給紙装置に設けられた、補助パイルと主パイルとを一つにまとめるための本発明に係る装置３２の、第２の実施の形態を示している。図５に示す実施の形態に関して、不要な重複を避けるために、図１から図４に示されている実施の形態に関して使用された参照番号と同一の参照番号が用いられている。図５に示す実施の形態と図１に示す実施の形態との唯一の相違点は、補助パイル支持装置１５の下方に向いた部分２３が、給紙装置１３の給紙テーブル２４に隣接する側で、主パイル１２の側方に配置されており、すなわち、給紙テーブル２４の下方に延在していることである。この部分２３の領域で、補助パイル１１の下側の領域から支持部材２０が取り出された後で、支持部材２０が垂直方向に導出される。
【００２３】
図６から図８は、枚葉紙印刷機の給紙装置に設けられた、補助パイルと主パイルとを一つにまとめるための本発明に係る装置３２の、第３の実施の形態を示している。図６から図８に示す実施の形態に関しても、不要な重複を避けるために、同一の部材群については、同一の参照番号が用いられている。
【００２４】
図６から図８に示す実施の形態は、図１から図４、もしくは図５に示す実施の形態と、以下の点で相違する。すなわち、図６から図８に示す実施の形態においては、補助パイル支持装置１５の、円筒状の棒体として形成された支持部材２０は、チェーン部材２２を介して、二つの縄梯子状の支持部材チェーンを成すように連結されている。つまり、このように連結することにより、これらの縄梯子状の支持部材チェーンのそれぞれが、互いに対向する側から、パレットと補助パイル１１の下側との間に導入可能となっている。この場合、二つの縄梯子状の支持部材チェーンのそれぞれに対して、個々に楔形部材２５が配設されている。楔形部材２５は、図６から図８に示す実施の形態においては、先端部が開閉可能であり、それによって、楔形部材２５の領域において、補助パイル１１の印刷枚葉紙がはまり込んだり、下方に向かって湾曲したりすることがなくなる。図６から図８に示す実施の形態において、二つの縄梯子状の支持部材チェーンのそれぞれは、補助パイル支持装置１５の、鉛直下方に向かって設けられている部分２３に収容可能であり、それによって、補助パイル１１と主パイル１２とを一つにまとめる際に場所を取らずに、補助パイル支持装置を、補助パイル１１の下側の領域から取り出すことができる。
【００２５】
図９は、枚葉紙印刷機の給紙装置に設けられた、補助パイルと主パイルとを一つにまとめるための本発明に係る装置３４の、更に別の実施の形態を示している。図９に示す実施の形態は、概ね図１から図４に示す実施の形態に等しいので、本図に関しても、同一の部材群については、同一の参照番号が用いられている。図９に示す実施の形態と図１に示す実施の形態との唯一の相違点は、補助パイル支持装置１５の部分２３が上方に向けられていて、下方に向けられていないということである。このような構成は、部分２３によって、給紙装置１３に対するアクセスが、補助パイル支持装置１５の下方領域において限定されず、それによって、主パイル１２を給紙装置１３に搬入することを、すべての側から行うことができるという有利点を有する。部分２３において、支持部材２０が、補助パイル１１の下側の領域から水平方向に取り出された後に、これらの支持部材が鉛直方向に導出される。
【００２６】
図１から図９に示す実施の形態において、支持部材２０は、それぞれ、印刷枚葉紙の搬送方向もしくは印刷枚葉紙の搬送方向と反対の方向に、枚葉紙印刷機を通過するように移動される。これと異なり、支持部材２０を、印刷枚葉紙の移送方向に対して横断的な方向で移動させることも可能である。そのためには、本発明に係る装置全体を、９０°ずらして給紙装置１３に取り付けるだけでよい。この場合には、パレット１４の突条部もしくは溝部も、図１から図９に示す実施の形態に対して９０°ずらして設けられる必要がある。
【００２７】
図１から図９に示す実施の形態と異なり、縄梯子状に連結された支持部材２０を、補助パイル１１の下側領域から取り出した後に、補助パイル１１もしくは主パイル１２の側方近傍に巻きつけることも可能である。この場合には、補助パイル支持装置１５の部分２３は不要となる。
【００２８】
前記の実施の形態において、個々の縄梯子状の支持部材チェーンには、それぞれ、支持部材を進入もしくは退出させるための別個の駆動装置が好適に配設されている。したがって、図６から図８に示す実施の形態におけるように、二つの縄梯子状の支持部材チェーンが設けられているときには、場合によって、これらの支持部材チェーンに対して共通の駆動装置を配設することも可能である。
【図面の簡単な説明】
【００２９】
【図１】本発明の第１の実施の形態による、枚葉紙印刷機の給紙装置に設けられた補助パイルと主パイルとを一つにまとめるための装置を有してなる、枚葉紙印刷機の給紙装置の概略側面図である。
【図２】図１の装置において、楔形部材が第１の位置にある場合の様子を示す図である。
【図３】図１の装置において、楔形部材が第２の位置にある場合の様子を示す図である。
【図４】図１の装置の要部の詳細を、分解組立図として示した斜視図である。
【図５】本発明の第２の実施の形態による、枚葉紙印刷機の給紙装置に設けられた補助パイルと主パイルとを一つにまとめるための装置を有してなる、枚葉紙印刷機の給紙装置の概略側面図である。
【図６】本発明の第３の実施の形態による、枚葉紙印刷機の給紙装置に設けられた補助パイルと主パイルとを一つにまとめるための装置を有してなる、枚葉紙印刷機の給紙装置の概略側面図である。
【図７】図６の装置において、個々の楔形部材の先端部が閉じている場合の様子を示す図である。
【図８】図６の装置において、個々の楔形部材の先端部が開いている場合の様子を示す図である。
【図９】本発明の更に別の実施の形態による、枚葉紙印刷機の給紙装置に設けられた補助パイルと主パイルとを一つにまとめるための装置を有してなる、枚葉紙印刷機の給紙装置の概略側面図である。
【符号の説明】
【００３０】
１０  装置
１１  補助パイル
１２  主パイル
１３  給紙装置
１４  パレット
１５  補助パイル支持装置
１６  補助パイルリフト装置
１７  リフト部材
１８  支持フレーム
１９  ガイド部材
２０  支持部材
２１  チェーン部材
２２  矢印
２３  部分
２４  給紙テーブル
２５  楔形部材
２６  突条部
２７  溝部
２８  突条部
２９  溝部
３０  転動体
３１  開口部
３２  装置
３３  装置
３４  装置
【図１】
2007297214.tif 000003
【図２】
2007297214.tif 000004
【図３】
2007297214.tif 000005
【図４】
2007297214.tif 000006
【図５】
2007297214.tif 000007
【図６】
2007297214.tif 000008
【図７】
2007297214.tif 000009
【図８】
2007297214.tif 000010
【図９】
2007297214.tif 000011